(57)【要約】【課題】バックフラッシュを防止することが可能な混注ポートを提供すること。【解決手段】中央部にスリット１０Ｓが形成されたセプタム１０と、前記セプタム１０をスライド可能に且つ液密保持するセプタム保持部１１とを備え、ルアＬｅｒによりセプタム表面１０Ａからセプタムに押圧力を付与した場合にセプタムを押圧方向に傾斜した方向矢印Ｙ１にスライドさせて、スライドしたセプタムの端部１０Ｂを収納するキャビティ１２を備える。【選択図】  図１
2005013659.tif 000002
【特許請求の範囲】
【請求項１】
中央部にスリットが形成されたセプタムと、前記セプタムをスライド可能に且つ液密に保持するセプタム保持部とを備え、ルアによりセプタム表面からセプタムに押圧力を付与した場合にセプタムを押圧方向に傾斜した方向にスライドさせ、スライドしたセプタムを収納するキャビティを備えることを特徴とする混注ポート。
【請求項２】
セプタムと保持部との接触面には滑りを向上させるハードコート加工又は潤滑剤の塗布が施されていることを特徴とする請求項１に記載の混注ポート。
【請求項３】
ルアの押圧力を開放するとセプタムの位置は元に戻ることを特徴とする請求項１又は２に記載の混注ポート。
【請求項４】
押圧時のスライド方向とは逆方向に押圧する手段がキャビティ内に設けられていることを特徴とする請求項１乃至３の何れかに記載の混注ポート。
【請求項５】
セプタム保持部はセプタムに対して押圧する押圧部を持ち、押圧部によりセプタムを押圧することにより液密構造が形成されている請求項１乃至４の何れかに記載の混注ポート。
【発明の詳細な説明】
【０００１】
【発明の属する技術分野】
本発明は、医薬用回路（血管内留置カテーテル）の端部に取り付けられる混注ポートに関し、特に、ルアを混注ポートから離脱したときに生じるバックフラッシュを防止する構造に関する。
【０００２】
【従来の技術】
人体に接続したカテーテルを通じて輸液・輸血・採血を行う場合において、カテーテルの端部に対してルアを接続して、輸液・輸血・採血を実施する。カテーテルの端部には、微生物汚染防止の観点から昨今では、閉鎖式の混注ポートが用いられる。混注ポートの構造としては、特開平１１−１９７２５４号に代表されるスリット付きゴム体を液密にハウジングに固定したものが代表的なものとして挙げることができる。
この混注ポートは、ルア部でゴムを押圧すると、ゴム体が内腔に向けて変形することで、密閉していたスリットが開封されてスリット内にルア部を受け入れる構造となっている。そして、ルア部を通じて輸液・輸血・採血がなされることになる。
間欠的に輸液する場合、輸液終了後に生理食塩水・ヘパリン溶液などでカテーテル内を充填することによるカテーテル内の閉塞防止処置を施した後、ルア部を離脱するのが一般的である。
【特許文献１】特開平１１−１９７２５４号
【発明が解決しようとする課題】
上記ルア部を離脱する際に、ゴム体の変形部分が元の状態に復帰することに起因して、それまでゴム体の受け入れ分だけ縮小していた混注ポートの内腔の容積が一揆に増加するので内腔が引圧となり、カテーテルの人体への挿入側端部（先端）から血液が逆流し（バックフラッシュ）、カテーテル中に残存するという問題が生じる場合があることが指摘されている。
【０００３】
処置後にカテーテルを人体から離脱させるのであれば問題とならないが、人体に留置したカテーテルを通じて輸液・輸血・採血する場合においてカテーテル端部（先端）に血液が残存すると、血液が凝固し閉塞する恐れがある。更に、逆流した血液に微生物が増殖し、感染症の原因となる場合がある。
【０００４】
本発明は、上記問題点に鑑みてなされた発明であって、上記バックフラッシュを防止することが可能な混注ポートを提供することを目的としてなされた発明である。
【０００５】
【課題を解決するための手段】
上記目的を達成するために、本発明の混注ポートは、中央部にスリットが形成されたセプタムと、前記セプタムをスライド可能に且つ液蜜に保持するセプタム保持部とを備え、ルアによりセプタム表面からセプタムに押圧力を付与した場合にセプタムを押圧方向に傾斜した方向にスライドさせ、スライドしたセプタムを収納するキャビティを備えることを特徴とする。
【０００６】
このような構成によれば、ルアを離脱したときの、混注ポート内腔の容積の変動が実質ないことから、内腔が実質的に引圧ともならず、カテーテルの人体への挿入側端部から血液が逆流（バックフラッシュ）が生じることがない。
【０００７】
ここで、セプタムと保持部との接触面には滑りを向上させるハードコート加工又は潤滑剤の塗布が施されていることを特徴とするものとすることができる。
【０００８】
ここで、ルアの押圧力を開放するとセプタムの位置は元に戻ることを特徴とするものとすることができる。
【０００９】
ここで、押圧時のスライド方向とは逆方向に押圧する手段がキャビティ内に設けられていることを特徴とするものとすることができる。
【００１０】
ここで、セプタム保持部はセプタムに対して押圧する押圧部を持ち、押圧部によりセプタムを押圧することにより液蜜構造が形成されているものとすることができる。
【００１１】
【発明の実施の形態】
以下に本発明に係る混注ポートの実施の形態について図面を参照しながら具体的に説明する。
【００１２】
図１は、本発明に係る混注ポート１に関する断面図である。
【００１３】
この図に示すように前記混注ポート１は、中央部にスリット１０Ｓが形成されたセプタム１０と、前記セプタム１０をスライド可能に且つ液密に保持するセプタム保持部１１とを備え、ルアＬｅｒによりセプタム表面１０Ａからセプタムに押圧力を付与した場合にセプタムを押圧方向に傾斜した方向矢印Ｙ１にスライドさせて、スライドしたセプタムの端部１０Ｂを収納するキャビティ１２を備える。更に、混注ポートの下端部には、延長チューブ又はカテーテルが接続されている（不図示）。
【００１４】
セプタム１０とセプタム保持部１１との接触面には滑りを向上させるハードコート加工又は潤滑剤の塗布が施されている。ハードコート加工としては、紫外線硬化性のシリコン樹脂などを塗布・紫外線照射するなどの手法が挙げられる。潤滑剤としてはシリコンオイルを挙げることができる。
【００１５】
ここで、ルアの押圧力を開放するとセプタムの位置は元に戻ることが、繰り返し使用時において、菌が混注ポート内へ混入することを防止し、安全使用を保証する上で必要となる。
【００１６】
同様の理由から、押圧時のスライド方向とは逆方向に押圧する手段がキャビティ内に設けられていることが望ましい。この手段の具体的な構成としては、キャビティ内にあって、セプタム１０の外周縁部１０Ｃに接し、内周方向に向けてセプタムを押圧する複数子の突起とすることができる。この突起に、弾性を付与することもできる。
使用時の混注ポートの液密性を確保することも重要である。このために、セプタム保持部はセプタムに対して押圧する押圧部を持ち、押圧部によりセプタムを押圧することにより液密構造が形成されてとすることが望ましい。押圧部の具体例としては、弾性的に変形可能な板バネを挙げることができる。
上記構成において、ルアをセプタムに押圧すると、セプタムがスライドし、スリットが開封され、ルア内部と延長チューブ内部とが混注ポート内腔とが連通する。ここにおいて、薬液を投与或いは血液を吸引したのち、ルアを混注ポートから離脱する。このとき、上記構成では、セプタムの内腔側への変形はなく、キャビティへのスライド分だけ元の位置にスライドするだけであるので、ルアの挿脱に伴う内腔の容積変化は生じない。このため、ルアの離脱時におけるバックフラッシュは実質生じない。
【００１７】
【発明の効果】
以上説明したように、本発明の混注ポートによれば、中央部にスリットが形成されたセプタムと、前記セプタムをスライド可能に且つ液密に保持するセプタム保持部とを備え、ルアによりセプタム表面からセプタムに押圧力を付与した場合にセプタムを押圧方向に傾斜した方向にスライドさせ、スライドしたセプタムを収納するキャビティを備えるので、ルアを離脱したときの、混注ポート内腔の容積の変動が実質ないことから、内腔が実質的に引圧ともならず、カテーテルの人体への挿入側端部から血液が逆流（バックフラッシュ）が生じることがない。
【図面の簡単な説明】
【図１】本発明に係る混注ポート１に関する断面図
【符号の説明】
１  混注ポート
１０  セプタム
１１  セプタム保持部
１２  キャビティ
【図１】
2005013659.tif 000003